(57)【要約】【課題】  施工の省力化を図ることができる幅木付き段板、幅木付き蹴込み板、及び階段構造を提供する。【解決手段】幅木付き段板２は、少なくとも一方の側端が壁面４に沿って設けられる階段に用いられる幅木付き段板２であって、踏み面を形成する段板本体２１と、該段板本体２１の側端部に固定される水平幅木２２と、該水平幅木２２の前記段板本体２１と反対側の面に固定されるとともに前記壁面４に当接し、前記水平幅木２２と前記壁面４との間の間隙を隠す軟質の水平隙間隠し部２３と、を備える。【選択図】図２
2015232230.tif 000002
【特許請求の範囲】
【請求項１】
少なくとも一方の側端が壁面に沿って設けられる階段に用いられる幅木付き段板であって、
踏み面を形成する段板本体と、
該段板本体の側端部に固定される水平幅木と、
該水平幅木の前記段板本体と反対側の面に固定されるとともに前記壁面に当接し、前記水平幅木と前記壁面との間の間隙を隠す軟質の水平隙間隠し部と、
を備えることを特徴とする幅木付き段板。
【請求項２】
少なくとも一方の側端が壁面に沿って設けられる階段に用いられる幅木付き蹴込み板であって、
蹴込み板本体と、
該蹴込み板本体の側端部に固定される鉛直幅木と、
該鉛直幅木の前記蹴込み板本体と反対側の面に固定されるとともに前記壁面に当接し、前記鉛直幅木と前記壁面との間の間隙を隠す軟質の鉛直側隙間隠し部と、
を備えることを特徴とする幅木付き蹴込み板。
【請求項３】
少なくとも一方の側端が壁面に沿って設けられる階段に用いられる幅木付き段板であって、
踏み面を形成する段板本体と、
前記段板本体の側端部に固定される軟質の水平緩衝部と、
前記水平緩衝部の前記段板本体と反対側に固定されるとともに前記壁面に当接する水平幅木と、を備えることを特徴とする幅木付き段板。
【請求項４】
少なくとも一方の側端が壁面に沿って設けられる階段に用いられる幅木付き蹴込み板であって、
蹴込み板本体と、
該蹴込み板本体の側端部に固定される軟質の鉛直緩衝部と、
前記鉛直緩衝部の前記蹴込み板本体と反対側に固定されるとともに前記壁面に当接する鉛直幅木と、を備えることを特徴とする幅木付き蹴込み板。
【請求項５】
階段下地に請求項１又は請求項３に記載の幅木付き段板及び請求項２又は請求項４に記載の幅木付き蹴込み板を固定して形成することを特徴とする階段構造。
【請求項６】
請求項１又は請求項３に記載の幅木付き段板及び請求項２又は請求項４に記載の幅木付き蹴込み板を、側面視Ｌ字状又は側面視逆Ｌ字状に相互に固定した状態で、前記階段下地に固定して形成されることを特徴とする請求項７に記載の階段構造。
【発明の詳細な説明】
【技術分野】
【０００１】
本発明は、少なくとも一方の側端が壁面に沿って設けられる階段に用いられる幅木付き段板、幅木付き蹴込み板、及びこれら幅木付き段板又は幅木付き蹴込み板を用いた階段構造に関する。
【背景技術】
【０００２】
従来より例えば住宅等の階段構造には、壁面の保護や見栄えの観点から、壁面に沿って幅木が設けられている。例えば、特許文献１には、段板及び蹴込み板を備えた階段の壁際に階段幅木が設けられる例が記載されており、段板用の水平幅木と、蹴込み板用の鉛直幅木がそれぞれ設けられる階段幅木が記載されている。
【先行技術文献】
【特許文献】
【０００３】
【特許文献１】特開２０１１−２３１４８４号
【発明の概要】
【発明が解決しようとする課題】
【０００４】
ところで、従来の階段幅木の施工は、段板及び蹴込み板が階段下地に固定された後に、段板及び蹴込み板にそれぞれ沿うように、水平幅木及び鉛直幅木を例えば接着剤などで壁面に固定していた。したがって、段板及び蹴込み板の施工の後に、さらに
幅木を施工する必要があるので、階段構造の施工に手間が掛かっていた。
【０００５】
そこで、本発明は、施工の省力化を図ることができる幅木付き段板、幅木付き蹴込み板、及び階段構造を提供することを目的とする。
【課題を解決するための手段】
【０００６】
請求項１に記載の幅木付き段板は、少なくとも一方の側端が壁面に沿って設けられる階段に用いられる幅木付き段板であって、踏み面を形成する段板本体と、該段板本体の側端部に固定される水平幅木と、該水平幅木の前記段板本体と反対側の面に固定されるとともに前記壁面に当接し、前記水平幅木と前記壁面との間の間隙を隠す軟質の水平隙間隠し部と、を備えることを特徴としている。
【０００７】
請求項２に記載の幅木付き蹴込み板は、少なくとも一方の側端が壁面に沿って設けられる階段に用いられる幅木付き蹴込み板であって、蹴込み板本体と、該蹴込み板本体の側端部に固定される鉛直幅木と、該鉛直幅木の前記蹴込み板本体と反対側の面に固定されるとともに前記壁面に当接し、前記鉛直幅木と前記壁面との間の間隙を隠す軟質の鉛直側隙間隠し部と、を備えることを特徴としている。
【０００８】
請求項３に記載の幅木付き段板は、少なくとも一方の側端が壁面に沿って設けられる階段に用いられる幅木付き段板であって、踏み面を形成する段板本体と、前記段板本体の側端部に固定される軟質の水平緩衝部と、前記水平緩衝部の前記段板本体と反対側に固定されるとともに前記壁面に当接する水平幅木と、を備えることを特徴としている。
【０００９】
請求項４に記載の幅木付き蹴込み板は、少なくとも一方の側端が壁面に沿って設けられる階段に用いられる幅木付き蹴込み板であって、蹴込み板本体と、該蹴込み板本体の側端部に固定される軟質の鉛直緩衝部と、前記鉛直緩衝部の前記蹴込み板本体と反対側に固定されるとともに前記壁面に当接する鉛直幅木と、を備えることを特徴としている。
【００１０】
請求項５に記載の階段構造は、階段下地に請求項１又は請求項３に記載の幅木付き段板及び請求項２又は請求項４に記載の幅木付き蹴込み板を固定して形成することを特徴としている。
【００１１】
請求項６に記載の階段構造は、請求項１又は請求項３に記載の幅木付き段板及び請求項２又は請求項４に記載の幅木付き蹴込み板を、側面視Ｌ字状又は側面視逆Ｌ字状に相互に固定した状態で、前記階段下地に固定して形成されることを特徴としている。
【発明の効果】
【００１２】
請求項１に記載の幅木付き段板によると、段板本体の側端部に水平幅木が固定されており、この水平幅木の段板本体と反対側の面に軟質の水平隙間隠し部を有するので、段板を施工するだけで幅木も施工することができ、別途幅木を施工する必要がなく、階段の施工を省力化することができる。また、水平隙間隠し部が軟質であることから、段板などの寸法に若干の誤差があるような場合でも壁面に確実に密着することができ、壁面と水平幅木との間の隙間を確実に隠すことができる。さらに、段板本体及び水平幅木が軟質の水平隙間隠し部を介して壁面に当接しているので、段板本体や水平幅木と壁面が擦れることがなく、音鳴りの発生を防止することができる。
【００１３】
請求項２に記載の幅木付き蹴込み板によると、蹴込み板本体の側端部に鉛直幅木が固定されており、この鉛直幅木の蹴込み板本体と反対側の面に軟質の鉛直隙間隠し部を有するので、蹴込み板を施工するだけで幅木も施工することができ、別途幅木を施工する必要がなく、階段の施工を省力化することができる。また、鉛直隙間隠し部が軟質であることから、蹴込み板などの寸法に若干の誤差があるような場合でも壁面に確実に密着することができ、壁面と鉛直幅木との間の隙間を確実に隠すことができる。さらに、蹴込み板本体及び鉛直幅木が軟質の鉛直隙間隠し部を介して壁面に当接しているので、蹴込み板本体や鉛直幅木と壁面が擦れることがなく、音鳴りの発生を防止することができる。
【００１４】
請求項３に記載の幅木付き段板によると、段板本体の側端部に軟質の水平緩衝部が固定されており、この水平緩衝部の前記段板本体と反対側に壁面に当接する水平幅木が固定されているので、段板を施工するだけで幅木も施工することができ、別途幅木を施工する必要がなく、階段の施工を省力化することができる。また、段板本体及び水平幅木の間に軟質の水平緩衝部が設けられているので、段板などの寸法に若干の誤差があるような場合でもこの水平緩衝部がその誤差を吸収することができ、水平幅木を確実に壁面に密着させることができる。そして、水平幅木が壁面に密着した状態になることから、壁面にクロスを施工する際に、水平幅木を定規代わりに利用することで、クロスを精度よく切断することができる。さらに、段板本体と水平幅木との間に軟質の水平緩衝部が設けられているので、段板本体と水平幅木とが擦れることがなく、音鳴りの発生を防止することができる。
【００１５】
請求項４に記載の幅木付き蹴込み板によると、蹴込み板本体の側端部に軟質の鉛直緩衝部が固定されており、この水平緩衝部の蹴込み板本体と反対側に壁面に当接する鉛直幅木が固定されているので、蹴込み板を施工するだけで幅木も施工することができ、別途幅木を施工する必要がなく、階段の施工を省力化することができる。また、蹴込み板本体及び鉛直幅木の間に軟質の水平緩衝部が設けられているので、蹴込み板などの寸法に若干の誤差があるような場合でもこの鉛直緩衝部がその誤差を吸収することができ、鉛直幅木を確実に壁面に密着させることができる。そして、鉛直幅木が壁面に密着した状態になることから、壁面にクロスを施工する際に、鉛直幅木を定規代わりに利用することで、クロスを精度よく切断することができる。さらに、蹴込み板本体と鉛直幅木との間に軟質の鉛直緩衝部が設けられているので、蹴込み板本体と鉛直幅木とが擦れることがなく、音鳴りの発生を防止することができる。
【００１６】
請求項５に記載の階段構造によると、幅木付き段板及び幅木付き蹴込み板を階段下地に固定するだけで、別途幅木を施工することなく、階段構造を施工することができ、階段の施工を省力化することができる。また、段板や蹴込み板の寸法に若干の誤差があるような場合でも、水平隙間隠し部、鉛直隙間隠し部、水平緩衝部、又は鉛直緩衝部によって、寸法誤差を吸収することができ、水平隙間隠し部、鉛直隙間隠し部、水平幅木、又は鉛直幅木を壁面に隙間なく密着させることができる。さらに、水平隙間隠し部、鉛直隙間隠し部、水平緩衝部、又は鉛直緩衝部を有することで、部材同士が擦れることがなく、音鳴りを防止することができる。
【００１７】
請求項６に記載の階段構造によると、幅木付き段板及び幅木付き蹴込み板を、側面視Ｌ字状又は側面視逆Ｌ字状に相互に固定した状態で、階段下地に固定するので、幅木付き段板と幅木付き蹴込み板とを別々に施工する場合に比べて施工手順を簡単にすることができ、いっそう階段の施工を省力化することができる。
【図面の簡単な説明】
【００１８】
【図１】第一実施形態の階段構造を説明する階段構造の施工途中の状態を示す斜視図。
【図２】（Ａ）は第一実施形態の幅木付き段板の外観構成を示す斜視図、（Ｂ）はその一部拡大斜視図。
【図３】（Ａ）は図２（Ｂ）におけるＩ−Ｉ断面部分拡大図、（Ｂ）は幅木付き段板を設置した状態を示す部分拡大断面図。
【図４】（Ａ）は、第一実施形態の幅木付き蹴込み板の外観構成を示す斜視図、（Ｂ）はその一部拡大斜視図。
【図５】（Ａ）は図４（Ｂ）におけるＩＩ−ＩＩ断面部分拡大図、（Ｂ）は幅木付き蹴込み板を設置した状態を示す部分拡大断面図。
【図６】（Ａ）は第二実施形態の一段の階段要素を示す斜視図、（Ｂ）はその一部拡大斜視図。
【図７】第二実施形態の階段構造を施工する途中の状態を示す斜視図。
【図８】第二実施形態の階段構造を施工する途中の状態を側面から見た図。
【図９】（Ａ）は第三実施形態の一段の階段要素を示す斜視図、（Ｂ）はその一部拡大斜視図。
【図１０】第三実施形態の階段構造を施工する途中の状態を側面から見た図。
【図１１】（Ａ）は第四実施形態の幅木付き段板の外観構成を示す斜視図、（Ｂ）はそのＩＩＩ−ＩＩＩ部分拡大断面図。
【図１２】（Ａ）は第四実施形態の幅木付き蹴込み板の外観構成を示す斜視図、（Ｂ）はそのＩＶ−ＩＶ部分拡大断面図。
【図１３】第四実施形態の階段構造を施工する途中の状態を示す斜視図。
【図１４】第四実施形態の幅木付き段板を設置した状態を示す断面図。
【図１５】第四実施形態の幅木付き蹴込み板を設置した状態を示す断面図。
【発明を実施するための形態】
【００１９】
〔第一実施形態〕
以下、本発明に係る幅木付き段板２、幅木付き蹴込み板３、及び階段構造１の第一実施形態について、図１から図５を参照しつつ説明する。階段構造１は、少なくとも一方の側端が壁面４に添って設けられる階段の構造である。なお、本発明における壁面４は例えば石膏ボードであるがこれに限定されるものではなく、合板やその他の板材で形成されていてもよい。階段構造１は、階段下地５の上に幅木付き段板２及び幅木付き蹴込み板３を固定して形成している。
【００２０】
階段下地５は、図１に示すように、補助柱８により傾斜するように設置されるささら桁６と、ささら桁６の上に上面が水平面を形成するように固定される複数段の段板支持部７とにより形成されている。
【００２１】
幅木付き段板２は、図２及び図３に示すように、階段構造１の踏み面を形成する平板状の段板本体２１と、段板本体２１の側端部に固定される水平幅木２２と、水平幅木２２の段板本体２１と反対側の面に固定される水平隙間隠し部２３とを備えている。段板本体２１は、例えば木製の平板状に形成されている。水平幅木２２は、段板本体２１の側端部に例えば接着剤によって固定されており、段板本体２１の踏み面から上方にはみ出す水平部２４と、段板本体２１の段鼻を囲うようにはみ出す段鼻部２５とを有している。水平幅木２２は硬質の樹脂により形成されている。なお、水平幅木２２の材料は、硬質の樹脂に限定されるものではなく、例えば木材やその他の材料であってもよいが、汚れがつきにくくまた耐衝撃性を有する材料が好ましい。
【００２２】
そして、水平隙間隠し部２３は、水平幅木２２の段板本体２１と反対側の面に接着される細長い軟質の樹脂である。ここで、本発明において「軟質」とは、形状が床材などの建築材料に比べて容易に変形可能であることをいい、軟質の樹脂としては、特に弾性を有するエラストマーが好適である。なお、水平隙間隠し部２３は水平幅木２２に接着されるものに限定されるものではなく、押出成形により一体的に形成してもよい。水平隙間隠し部２３は、水平幅木２２の水平部２４の上縁及び段鼻部２５の上縁、先端縁、及び下縁に跨って設けられている。すなわち、水平隙間隠し部２３は、階段構造１を施工した後に、壁面４と水平幅木２２との間の境界の外側に露出する位置に設けられている。水平隙間隠し部２３は、図３（Ａ）（Ｂ）に示すように、水平幅木２２の縁側が水平方向に突出する突出部２６を形成している。この突出部２６により、壁面４に水平隙間隠し部２３を当接させた場合に、水平隙間隠し部２３が確実に壁面４に当接するとともに、この突出部２６が変形しやすく、階段構造１の寸法誤差を吸収しやすくなっているが、水平隙間隠し部２３の形状はこれに限定されるものではなく、壁面４に当接することができ、壁面４と水平幅木２２との間の隙間を埋めることができる形状であれば、如何なる形状であってもよい。
【００２３】
幅木付き蹴込み板３は、図４及び図５に示すように、平板状の蹴込み板本体３１と、蹴込み板本体３１の側端部に固定される鉛直幅木３２と、鉛直幅木３２の蹴込み板本体３１と反対側の面に固定される鉛直隙間隠し部３３とを備えている。蹴込み板本体３１は、例えば木製の平板状に形成されている。鉛直幅木３２は、蹴込み板本体３１の側端部に例えば接着剤によって固定されており、蹴込み板本体３１から鼻の出方向にはみ出すように形成されている。鉛直幅木３２は蹴込み板本体３１の上端から下方に延びており、蹴込み板本体３１の下端近くまで延びている。なお、水平幅木２２及び鉛直幅木３２は、階段構造１が施工された際に、幅木が連続するように形成されていればよく、水平幅木２２及び鉛直幅木３２は互いに干渉することなく連続するように配置されている。なお、鉛直幅木３２は硬質の樹脂により形成されているが、硬質の樹脂に限定されるものではなく、例えば木材やその他の材料であってもよいが、汚れがつきにくくまた耐衝撃性を有する材料が好ましい。
【００２４】
そして、鉛直隙間隠し部３３は、鉛直幅木３２の蹴込み板本体３１と反対側の面において、鉛直幅木３２の鼻の出方向の縁に接着される細長い軟質の樹脂である。なお、鉛直隙間隠し部３３は鉛直幅木３２に接着されるものに限定されるものではなく、押出成形により一体的に形成してもよい。鉛直隙間隠し部３３は、階段構造１を施工した後に、壁面４と鉛直幅木３２との間の境界の外側に露出する位置に設けられている。鉛直隙間隠し部３３は、水平隙間隠し部２３と同様の断面形状であり、図５（Ａ）（Ｂ）に示すように、鉛直幅木３２の縁側が水平方向に突出する突出部３５を形成している。この突出部３５により、壁面４に鉛直隙間隠し部３３を当接させた場合に、確実に壁面４に当接するとともに、この突出部３５が変形しやすく、階段構造１の寸法誤差を吸収しやすくなっている。なお、鉛直隙間隠し部３３の形状はこれに限定されるものではなく、壁面４に当接することができ、壁面４と鉛直幅木３２との間の隙間を埋めることができる形状であれば、如何なる形状であってもよい。
【００２５】
このように構成される階段構造１を施工する際には、図１に示すように、幅木付き段板２と幅木付き蹴込み板３とを下方から上方に向けて順次、階段下地５に固定していく。このように、本実施形態の階段構造１によると、段板本体２１に水平幅木２２が固定されており、蹴込み板本体３１に鉛直幅木３２が固定されているので、別途幅木を施工する必要がなく、階段の施工を省力化することができる。また、軟質の水平隙間隠し部２３及び鉛直隙間隠し部３３を有していることで、段板本体２１や蹴込み板本体３１などの寸法に若干の誤差があるような場合でも、これら水平隙間隠し部２３及び鉛直隙間隠し部３３が寸法誤差を吸収し、壁面４に確実に密着することができ、壁面４と水平幅木２２及び鉛直幅木３２との間の隙間を確実に隠すことができる。さらに、軟質の水平隙間隠し部２３及び鉛直隙間隠し部３３を有することで、壁面４と水平幅木２２や鉛直幅木３２が擦れることがなく、音鳴りの発生を防止することができる。
【００２６】
〔第二実施形態〕
次に、図６から図８を参照しつつ、本発明の階段構造１の第二実施形態について説明する。なお、第一実施形態と同様の構成については同一の符号を付して説明を省略する。本実施形態においては、階段構造１は、幅木付き段板２及び幅木付き蹴込み板３を、側面視逆Ｌ字状に相互に固定し、一段の階段要素９ａを形成し、この階段要素９ａを階段下地５に固定して形成している。すなわち、幅木付き蹴込み板３の上端に幅木付き段板２を固定して一段の階段要素９ａを形成している。そして、水平幅木２２及び鉛直幅木３２は、硬質の樹脂を一体成形している。なお、水平幅木２２及び鉛直幅木３２は、一体形成されるものに限定されるものではなく、それぞれ段板本体２１又は蹴込み板本体３１に固定することで互いに固定するものであってもよい。そして、水平隙間隠し部２３及び鉛直隙間隠し部３３は、水平幅木２２の水平部２４の上縁から段鼻部２５の周縁を通って、鉛直幅木３２の鼻の出方向の縁に亘って設けられている。これら水平隙間隠し部２３及び鉛直隙間隠し部３３は、階段構造１を施工した後に、壁面４と水平幅木２２及び鉛直幅木３２との間の境界の外側に露出する位置に設けられている。
【００２７】
階段構造１を施工する際には、図７及び図８に示すように、幅木付き段板２及び幅木付き蹴込み板３から成る階段要素９ａを下方から上方に向けて順次、階段下地５に固定していく。このように、本実施形態の階段構造１によると、幅木付き段板２と幅木付き蹴込み板３とをそれぞれ施工する構成に比べて、工数を半分に減らすことができ、施工手順を簡略化し、いっそう階段の施工を省力化することができる。
【００２８】
〔第三実施形態〕
次に、図９及び図１０を参照しつつ、本発明の階段構造１の第三実施形態について説明する。本実施形態においては、階段構造１は、幅木付き段板２及び幅木付き蹴込み板３を、側面視Ｌ字状に相互に固定し、一段の階段要素９ｂを形成し、この階段要素９ｂを階段下地５に固定して形成している。すなわち、幅木付き蹴込み板３の下端に幅木付き段板２を固定して一段の階段要素９ｂを形成している。そして、その他の構造については、第一実施形態及び第二実施形態と同様であるので説明を省略する。
【００２９】
階段構造１を施工する際には、図１０に示すように、幅木付き段板２及び幅木付き蹴込み板３から成る階段要素９ｂを下方から上方に向けて順次、階段下地５に固定していく。このように、本実施形態の階段構造１によると、第二実施形態の場合と同様に、幅木付き段板２と幅木付き蹴込み板３とをそれぞれ施工する構成に比べて、工数を半分に減らすことができ、施工手順を簡略化し、いっそう階段の施工を省力化することができる。
【００３０】
〔第四実施形態〕
次に本発明の幅木付き段板２、幅木付き蹴込み板３、及び階段構造１の第四実施形態について、図１１から図１５を参照しつつ説明する。なお、第一実施形態、第二実施形態、及び第三実施形態と同様の構成については同一の符号を付して説明を省略する。
【００３１】
本実施形態の幅木付き段板２は、図１１に示すように、階段構造１の踏み面を形成する平板状の段板本体２１と、段板の側端部に固定される軟質の樹脂からなる水平緩衝部２７と、この水平緩衝部２７の段板本体２１と反対側に固定される水平幅木２２とを備えている。段板本体２１は、例えば木製の平板状に形成されている。水平緩衝部２７は段板本体２１の側端部に例えば接着により固定される軟質の樹脂であるが、これに限定されず、段板本体２１などの若干の寸法誤差を吸収することができる程度に変形可能な材料であれば、樹脂に限定されるものではない。
【００３２】
そして、水平幅木２２は、水平緩衝部２７の段板本体２１と反対側に例えば接着によって固定されており、段板本体２１の踏み面よりも上方にはみ出す水平部２４と、段板本体２１の段鼻を囲うようにはみ出す段鼻部２５とを有している。水平幅木２２は硬質の樹脂により形成されている。なお、水平幅木２２の材料は、硬質の樹脂に限定されるものではなく、例えば木材やその他の材料であってもよいが、汚れがつきにくくまた耐衝撃性を有する材料が好ましい。
【００３３】
幅木付き蹴込み板３は、図１２に示すように、平板状の蹴込み板本体３１と、蹴込み板本体３１の側端部に固定される軟質の樹脂からなる鉛直緩衝部３４と、この鉛直緩衝部３４の蹴込み板本体３１と反対側に固定される鉛直幅木３２とを備えている。蹴込み板本体３１は、例えば木製の平板状に形成されている。鉛直緩衝部３４は蹴込み板本体３１の側端部に例えば接着により固定される軟質の樹脂であるが、これに限定されず、蹴込み板本体３１などの若干の寸法誤差を吸収することができる程度に変形可能な材料であれば、樹脂に限定されるものではない。
【００３４】
そして、鉛直幅木３２は、鉛直緩衝部３４に例えば接着剤によって固定されており、蹴込み板本体３１よりも鼻の出方向にはみ出すように形成されている。また、鉛直幅木３２は上下方向において、蹴込み板本体３１の上端から下方に延びており、蹴込み板本体３１の下端近くまで延びるように鉛直緩衝部３４に固定されている。なお、水平幅木２２及び鉛直幅木３２は、階段構造１が施工された際に、幅木が連続するように形成されていればよく、水平幅木２２及び鉛直幅木３２は互いに干渉することなく連続するように配置されている。また、鉛直幅木３２は水平幅木２２と同様に、硬質の樹脂により形成されているが、硬質の樹脂に限定されるものではなく、例えば木材やその他の材料であってもよいが、汚れがつきにくくまた耐衝撃性を有する材料が好ましい。
【００３５】
本実施形態の階段構造１は、図１３に示すように、幅木付き段板２と幅木付き蹴込み板３とを下方から上方に向けて順次、階段下地５に固定していく。このとき、図１４及び図１５に示すように、幅木付き段板２の水平幅木２２及び幅木付き蹴込み板３の鉛直幅木３２がそれぞれ壁面４に当接する。段板本体２１や蹴込み板本体３１の寸法の僅かな誤差に応じて水平緩衝部２７及び鉛直緩衝部３４が変形することで、水平幅木２２及び鉛直幅木３２は確実に壁面４に当接することができる。このように、本実施形態の階段構造１によると、段板本体２１に水平幅木２２が固定されており、蹴込み板本体３１に鉛直幅木３２が固定されているので、別途幅木を施工する必要がなく、階段の施工を省力化することができる。そして、水平幅木２２及び鉛直幅木３２と、段板本体２１及び蹴込み板本体３１との間に、軟質の水平緩衝部２７及び鉛直緩衝部３４を有することで、段板本体２１や蹴込み板本体３１が受けた外力を水平緩衝部２７及び鉛直緩衝部３４で吸収することができ、壁面４と水平幅木２２や鉛直幅木３２が擦れることがなく、音鳴りの発生を防止することができる。
【００３６】
さらに、水平幅木２２及び鉛直幅木３２が壁面４に密着することで、壁面４にクロスを施工する際に、水平幅木２２及び鉛直幅木３２が定規となってクロスを適切な位置で切断することができる。
【００３７】
なお、第四実施形態の階段構造１においては、幅木付き段板２及び幅木付き蹴込み板３を別々に階段下地５に施工する例を説明したが、本発明の階段構造１は、第二実施形態や第三実施形態と同様に、幅木付き段板２及び幅木付き蹴込み板３を、側面視Ｌ字状又は側面視逆Ｌ字状に相互に固定した状態で、階段下地５に固定する構成であってもよい。
【００３８】
なお、本発明の実施の形態は上述の第一実施形態、第二実施形態、第三実施形態、及び第四実施形態に限ることなく、本発明の思想の範囲を逸脱しない範囲で適宜変更することができることは云うまでもない。
【産業上の利用可能性】
【００３９】
本発明に係る幅木付き段板２、幅木付き蹴込み板３、及び階段構造１は、例えば住宅の階段構造１として好適に用いることができる。
【符号の説明】
【００４０】
１      階段構造
２      幅木付き段板
３      幅木付き蹴込み板
４      壁面
５      階段下地
２１    段板本体
２２    水平幅木
２３    水平隙間隠し部
２７    水平緩衝部
３１    蹴込み板本体
３２    鉛直幅木
３３    鉛直隙間隠し部
３４    鉛直緩衝部
【図１】
2015232230.tif 000003
【図２】
2015232230.tif 000004
【図３】
2015232230.tif 000005
【図４】
2015232230.tif 000006
【図５】
2015232230.tif 000007
【図６】
2015232230.tif 000008
【図７】
2015232230.tif 000009
【図８】
2015232230.tif 000010
【図９】
2015232230.tif 000011
【図１０】
2015232230.tif 000012
【図１１】
2015232230.tif 000013
【図１２】
2015232230.tif 000014
【図１３】
2015232230.tif 000015
【図１４】
2015232230.tif 000016
【図１５】
2015232230.tif 000017